(57)【要約】【課題】既存ビルの屋上や工場等の屋根の緑化は、厳しい重量制限の問題があるため基盤土の量が限られ植栽も草類のみで樹木を交えた植栽緑化がなく、また風雨等にて基盤土の流出する問題点があった。【解決手段】植生基盤土が風雨等で飛散や流出したりせず植生基盤土を永年保持し、植物の根が植生基盤土内に定着できる薄型の植栽基盤土を破損や腐蝕がしにくく植生基盤土の流出もなく植物の根を通す腐蝕しにくいシートで形成し、植栽基盤土体表面に樹木や草花を植栽して提供できる植生植栽用の薄型植生基盤土体。【選択図】図１
2008125404.tif 000002
【特許請求の範囲】
【請求項１】
いずれも破損や腐蝕がしにくく基盤土の流出がない材質で形成され植物の根を通す格子状ネットシート、平織ネット状シート、植物の根・芽を通さず吸水と保水の性質を持つ吸水シート、植物の根を通す材質の不織布の順序で重ね、その上に２ｃｍ〜５ｃｍ厚で圧縮形成した植生基盤土を敷き詰め、その上に植物の根を通す材質の不織布、平織ネット状シート、格子状ネットシートの順で重ね腐蝕しにくい縫い糸で植生基盤土が移動しないように縦横所定間隔で縫製形成した植生基盤体の全体を保護する保護シートで覆い長年原形を保ち植栽植物が長年生育できることを特徴とする植生植栽用埋蔵蒲団体。
【請求項２】
いずれも破損や腐蝕がしにくく基盤土の流出がなく植物の根を通す材質の格子状ネットシート、平織ネット状シート、不織布の順序で重ね、その上に２ｃｍ〜５ｃｍ厚で圧縮形成した植生基盤土を敷き詰め、その上に不織布、平織ネット状シート、格子状ネットシートの順で重ね腐蝕しにくい縫い糸で植生基盤土が移動しないように縦横所定間隔で縫製形成した植生基盤体に、全体を保護する保護シートで覆ったうえに縁廻りに固定ロープを装備したことにより植生基盤体に傷付けることなく法面等に固定でき長年原形を保ち該植生基盤体の流出を防護することができることを特徴とする固定ロープ付植生植栽用埋蔵蒲団体。
【発明の詳細な説明】
【技術分野】
【０００１】
本発明は、屋上、壁面、コンクリート面、水辺法面等の多種多様の植生植栽緑化を図る植生基盤体に関するものである。
【背景技術】
【０００２】
都会におけるヒートアイランド現象が社会問題になるにつれて、景観法等の整備や地方自治体による条例の施行が後押しする形で、屋上緑化の施工面積が増加している。しかし既存のビル屋上を緑化する場合、重量制限が厳しいためセダム等の草による緑化で緑化デザインの多様性が無く、ヒートアイランド現象の低減を図るＣＯ２の削減に奇与することも少なく、植生マット自体が天然素材や分解される素材であり耐久性が弱く、短期間で破損して植生基盤土が風雨により飛散、流出する恐れを秘めていた。
【０００３】
また河川や湖沼や貯水池等の岸辺法面は、植物の生育が困難な環境であり殺風景な状況になりがちである。特に貯水池、ダム湖等はその目的用途によって人為的に水位を調整し、あるいは季節ごとの降水量によって水位が変動する水辺等は、植物の生育が困難で岸辺の地肌が露出して景観を損ね、更に地山の浸食によって大きな自然破壊を招く一因となるものでこのような湖沼岸線に生じる裸地法面の緑化を図り、地山の浸食を防止する技術として裸地法面に緑化基盤体を設置し、基盤体に切り込みを入れ植物を植栽する従来の緑化技術があるが、波浪により基盤土や植栽植物の流出の恐れを秘めていた。
【特許文献１】特開２００４−２２５４０８号公報
【特許文献２】特願２００５−２７７６７７号公報
【発明の開示】
【発明が解決しようとする課題】
【０００４】
以上のことから既存ビル屋上の荷重制限をクリアする植生基盤体の軽量化並びに耐久性の強化と、植物の生育基盤である土壌の軽量化と保水性・保肥力の向上と、該植生基盤体に樹木の生育も可能にし、草本類と樹木の混植によるデザインの多様化を図るとともに樹木によるＣＯ２の削減に奇与する屋上や壁面緑化の植生基盤体の開発。
【０００５】
また、湖岸等の水位が変動する水辺の裸地法面に軽量で破損や腐蝕がしにくく基盤土の流出がなく植物の根を通す植生基盤体に傷付けずに設置固定し、波浪や水中に浸かっていても基盤土が流出することのない植生基盤体の開発である。
【課題を解決するための手段】
【０００６】
そのことから屋上や壁面等の無土壌面に使用する植生基盤体は、植生基盤土が長年保持され破損や腐蝕がしにくく、植生基盤土の流出がない材質で形成された植生基盤体とする。例えば好適としてポリエチレンで植物の根を通す格子状ネットシート、平織ネット状シート、ポリエステルで植物の根・芽を通さず吸水と保水の性質を持つ吸水シート、植物の根を通す不織布の順に重ねて底部を形成し、その底部上に植生基盤土（水苔５０％・バーク堆肥２５％・ココピート１０％・ピートモス１０％・木草炭５％の混合土に有機肥料を配合）を４ｃｍ〜１０ｃｍ厚で敷き詰め圧縮して２ｃｍ〜５ｃｍ厚の植生基盤土に形成し、その上にポリエステルで植物の根を通す不織布、ポリエチレンで植物の根を通す平織ネット状シート、格子状ネットシートの順に重ねて上部を形成し、底部と上部が一体化し植生基盤土の植生基盤体内移動を抑え、構造体を堅持するように縦横所定間隔で腐蝕しにくい縫い糸を用いて縫製して植生基盤体とする。
【０００７】
さらに、植生基盤体の保護と縫い糸の保護として表面と裏面に破損や腐蝕がしにくく植物の根を通す例えば好適としてポリエチレンの平織ネット状シート、格子状ネットシートの順に重ねて縁廻りを縫製して破損しにくく耐久性があり軽量で保水力と保肥力の強い植生植栽用埋蔵蒲団体とする。
【０００８】
また、水辺や切土面等の地山法面に使用する植生基盤体は、植生基盤土が長年保持され破損や腐蝕がしにくく、植生基盤土の流出がなく植物の根を通す材質で形成された植生基盤体とする。例えば好適としてポリエチレンの格子状ネットシート、平織ネット状シート、ポリエステルの不織布の順に重ねて底部を形成し、その底部上に植生基盤土（水苔５０％・バーク堆肥２５％・ココピート１０％・ピートモス１０％・木草炭５％の混合土に有機肥料を配合）を４ｃｍ〜１０ｃｍ厚で敷き詰め圧縮して２ｃｍ〜５ｃｍ厚の植生基盤土に形成し、その上にポリエステルの不織布、ポリエチレンの平織ネット状シート、格子状ネットシートの順に重ねて上部を形成し、底部と上部が一体化し植生基盤土の植生基盤体内移動を抑え構造体を堅持するように縦横所定間隔で腐蝕しにくい縫い糸を用いて縫製して植生基盤体とする。
【０００９】
その上に、植生基盤体の保護と縫い糸の保護として表面と裏面に破損や腐蝕がしにくく植物の根を通す例えば好適としてポリエチレンの平織ネット状シート、格子状ネットシートの順に重ねて縁廻りを縫製し、さらに縁廻りに一定間隔で縫いつけるように固定ロープを通し、該固定ロープをアンカーピン等で固定することにより植生基盤体に傷付けることなく固定でき、植栽植物の根が植生基盤体を突抜地山に根をのばし生育できる軽量で破損しにくく耐久性のある固定ロープ付植生植栽用埋蔵蒲団体とする。
【００１０】
上記で形成された植生植栽用埋蔵蒲団体に樹木を植栽する時は、表面を切り裂くことなく植栽木を植立固定できる樹木固定具を用いて該植生植栽用埋蔵蒲団体表面に樹木を植立に固定植栽をする。
【発明の効果】
【００１１】
屋上緑化や壁面緑化等の無土壌面緑化に軽量化で破損や腐蝕がしにくく耐久性の確保を実現した植生植栽用埋蔵蒲団体は、吸水マットと保水力の強い植生基盤土で保水期間が長くなり、自然雨のみで長期に渡り植栽植物が生育でき灌水を必要としない水管理上の省力化が図れた植生植栽用埋蔵蒲団体である。また、植生植栽用埋蔵蒲団体に植栽される樹木は、樹木固定具を用いて該植生植栽用埋蔵蒲団体に傷付けることなく植立に固定植栽されるため風等による倒木や飛散がなく安全安心で、草花との混植による多様なデザインが可能である。
【００１２】
なお垂直面のため水管理が難しい壁面緑化の場合、植生植栽用埋蔵蒲団体に別途植生植栽用埋蔵蒲団体でポケットを形成し、植生植栽用埋蔵蒲団体に取付て該ポケット内に植生植栽用埋蔵蒲団体の植生基盤土と同じ配合の植生基盤土を詰め込み植栽室とすることにより保水力が数倍増し自然雨だけでの植栽が可能な壁面緑化の植生基盤体となる植生植栽用埋蔵蒲団体である。
【００１３】
水辺等の法面では、設置箇所に固定ロープ付植生植栽用埋蔵蒲団体を敷設し、アンカーピンで縁廻りの固定ロープを固定することにより、該固定ロープ付植生植栽用埋蔵蒲団体に傷付けず固定でき、長期間水に埋没、また波浪や風雨でも破損することなく法面を保護できる固定ロープ付植生植栽用埋蔵蒲団体であり、渇水時期に裸地法面に固定ロープ付植生植栽用埋蔵蒲団体を敷設固定し、該固定ロープ付植生植栽用埋蔵蒲団体表面に野芝等の芝を張付て、その上に流出防止用の格子状のネットシートで覆う緑化方法もしくは表面に播種して発芽生育させる緑化方法等で裸地法面の保護図る。いずれの緑化方法においても植栽根は蒲団体を突き向け地山に根を伸ばし生育することにより該固定ロープ付植生植栽用埋蔵蒲団体と植物が一体となり裸地法面を強固に保護する固定ロープ付植生植栽用埋蔵蒲団体である。
【発明を実施するための最良の形態】
【００１４】
本発明を実施例に基づいて図で説明すると図１は、コンクリート等の無土壌面に使用する（イ）植生基盤体と（ロ）植生植栽用埋蔵蒲団体の構造断面図であり、図２は、土壌面に使用する（イ）植生基盤体と（ロ）植生植栽用埋蔵蒲団体の構造断面図であり、図３（イ）は、無土壌面に使用する植生植栽用埋蔵蒲団体で（ロ）は、土壌面に使用する固定ロープ付植生植栽用埋蔵蒲団体を示す斜視図であり、図４は、植栽木を植立に固定する樹木固定具の説明で（イ）は、樹木固定具の組合せ（ロ）は、植栽木を固定する仕組みを示した説明図であり、図５は、植生植栽用埋蔵蒲団体表面に植栽木やセダムを植栽した事例を示した斜視図であり、図６は、植生植栽用埋蔵蒲団体を使いコンクリート面を野芝等の芝で緑化した事例を示した断面図であり、図７は、植生植栽用埋蔵蒲団体を用いた壁面緑化事例を示した斜視図であり、図８は、植生植栽用埋蔵蒲団体を用いた水辺緑化事例を示した斜視図である。
【００１５】
図１（イ）は、コンクリート等の無土壌面に使用する植生基盤体の構造を説明する構造断面図である。いずれも破損や腐蝕がしにくく植生基盤土の流出をしない網目の材質で形成され、例えば好適として植物の根を通すポリエチレンの格子状ネットシート２、平織ネット状シート３、植物の根を通さず吸水と保水の機能を持つポリエステルの吸水シート４、植物の根を通すポリエステルの不織布５の順に重ね底部を形成し、その底部上に植生基盤土６（水苔５０％・バーク堆肥２５％・ココピート１０％・ピートモス１０％・木草炭５％の混合土に有機肥料を配合）を４ｃｍ〜１０ｃｍ厚で敷き詰め圧縮して２ｃｍ〜５ｃｍ厚の植生基盤土に形成し、その上にいずれも破損や腐蝕がしにくく基盤土の流出がなく植物の根を通すポリエステルの不織布５、ポリエチレンの平織ネット状シート３、格子状ネットシート２の順に重ね上部を形成し、底部と上部が一体化し植生基盤土６の植生基盤体内移動を抑え構造体を堅持するように縦横所定間隔で腐蝕しにくい縫い糸７を用いて縫製して植生基盤体１とする。
図１（ロ）は、コンクリート等の無土壌面に使用する植生植栽用埋蔵蒲団体の構造を説明する構造断面図であり、上記（イ）で形成した植生基盤体１を保護する保護シート８を表面と裏面から破損や腐蝕がしにくく基盤土の流出をしない網目で植物の根を通す材質で形成した保護シート８で覆った植生植栽用埋蔵蒲団体９で、例えば好適としてポリエチレンの平織ネット状シート３、その上に格子状ネットシート２で覆い縁廻りを腐蝕しにくい縫い糸で縫着して植生植栽用埋蔵蒲団体９とする。
【００１６】
図２（イ）は、土壌面に使用する植生基盤体の構造を説明する構造断面図である。いずれも破損や腐蝕がしにくく基盤土の流出がなく植物の根を通す材質で形成され、例えば好適として植物の根を通すポリエチレンの格子状ネットシート２、平織ネット状シート３、ポリエステルの不織布５の順に重ね底部を形成し、その底部上に植生基盤土６（水苔５０％・バーク堆肥２５％・ココピート１０％・ピートモス１０％・木草炭５％の混合土に有機肥料を配合）を４ｃｍ〜１０ｃｍ厚で敷き詰め圧縮して２ｃｍ〜５ｃｍ厚の植生基盤土に形成し、その上にポリエステルの不織布５、ポリエチレンの平織ネット状シート３、格子状ネットシート２の順に重ね上部を形成し、底部と上部が一体化し植生基盤土６の植生基盤体内移動を抑え構造体を堅持するように縦横所定間隔で腐蝕しにくい縫い糸７を用いて縫製して植生基盤体１とする。
図２（ロ）は、土壌面に使用する植生植栽用埋蔵蒲団体の構造を説明する構造断面図であり、上記（イ）で形成した植生基盤体１を保護する保護シート８を表面と裏面から破損や腐蝕がしにくく基盤土の流出をしない網目で植物の根を通す材質で形成した保護シート８で覆った植生植栽用埋蔵蒲団体９で、例えば好適としてポリエチレンの平織ネット状シート３、その上に格子状ネットシート２で覆い縁廻りを腐蝕しにくい縫い糸で縫着して植生植栽用埋蔵蒲団体９とする。
【００１７】
図３（イ）は、コンクリート等の無土壌面に使用する植生植栽用埋蔵蒲団体９を示した斜視図で（ロ）は、土壌面に使用する植生植栽用埋蔵蒲団体に傷を付けず固定するために植生植栽用埋蔵蒲団体９の縁廻りに一定間隔で縫いつけるように固定ロープ１０を通して該固定ロープをアンカーピンで法面等に固定することのできる固定ロープ付植生植栽用埋蔵蒲団体１１の斜視図である。
【００１８】
図４は、植生植栽用埋蔵蒲団体上に植栽木を固定する樹木固定具１２のスライドアンカーピン１３の仕組みを説明するもので（イ）は、長尺の金属棒を水平状の係止差込部１３ａとその一方端部から上方に立ち上がらせた支持部１３ｂとその頭部に環状バンド係止部１３ｃとを設けてなるスライドアンカーピン１３が複数本と、環状バンド１４との組合せとからなり（ロ）は、複数本のスライドアンカーピン１３を植生植栽用埋蔵蒲団体上の植栽木の根鉢廻り下の保護シートに通しスライドさせながら植栽木の根鉢を支えるようにし、その上で支持部頭部の環状バンド１４係止部に環状バンドを係止して絞り込むことにより植栽木が風雨等で倒れないように植立固定する。
【００１９】
図５は、５ｃｍ厚の植生植栽用埋蔵蒲団体９表面に樹木固定具のスライドアンカーピンを使い樹木１５を植栽し、廻りにセダム１７を植え付けた植生植栽用埋蔵蒲団体９を用いた植栽事例である。
【００２０】
図６は、コンクリート面１９上に防水シート２０、吸水シート４、２ｃｍ厚の植生植栽用埋蔵蒲団体９の順に敷設し、その上に野芝１８等の芝を載置してコンクリート面を植生植栽用埋蔵蒲団体で芝緑化した事例である。
【００２１】
図７は、植生植栽用埋蔵蒲団体の裏全面に発泡盤とトリカルネットを取付け植生盤２１に形成し、表面にトリカルネットと植生植栽用埋蔵蒲団体を重ねて帯状やポケット状の植栽室２２を形成し植生盤２１に取付け、該植栽室２２内に植生基盤土を挿入し樹木１５や宿根草１６やツタ植物１７等を植栽して植栽室以外にセダム２３を挿し木植栽し壁面を飾る植生植栽用埋蔵蒲団体を用いた壁面緑化の植栽事例である。
【００２２】
図８は、水辺廻りの水位が変動する裸地法面２４の幅（長さ）に応じて固定ロープ付植生植栽用埋蔵蒲団体１１を敷設し、装備されている固定ロープ１０をアンカーピン２５で裸地法面２４に固定する。アンカーピン２５の打設間隔は約５０ｃｍで裸地法面２４に固定ロープ１０を固定、また当該固定ロープ付植生植栽用埋蔵蒲団体１１同士を連結固定する場合には、約５０ｃｍ間隔で固定ロープ同士をアンカーピンに互いに絡ませて裸地法面に固定する。図には示さないが、さらに該固定ロープ付植生植栽用埋蔵蒲団体上に縦１ｍ横２ｍ間隔でステンレスワイヤーを張りアンカーピンで止めることにより裸地法面に頑丈に固定され流出することもなく水辺廻りに自生する植物の種子が付着して発芽生育し裸地法面を早期に自然に帰すことのできる該固定ロープ付植生植栽用埋蔵蒲団体である。
【産業上の利用可能性】
【００２３】
植生植栽用埋蔵蒲団体は、植生基盤体として保肥・保水力が高く、軽量で移動が容易な上、植生基盤土が流出せず破損や腐蝕がしにくい特徴を持っているので、荷重制限が厳しい既存のビル屋上や工場屋根等の緑化基盤体としてまた、上記の特徴から壁面、コンクリート面、水辺等様々の緑化基盤体として景観形成等における自然環境の復元緑化資材としてこれから大いに利用される可能性の高いものである。
【図面の簡単な説明】
【００２４】
【図１】植生基盤体の構造を示す説明図である。
【図２】植生基盤体を保護シートで覆った状態を示す構造断面図である。
【図３】植生植栽用埋蔵蒲団体と固定ロープ付植生植栽用埋蔵蒲団体を示した斜視図である。
【図４】樹木固定具の仕組みを説明する説明図で、（イ）はスライドピンと環状バンドとの組合せ、（ロ）は植栽木を固定する仕組みを示す説明図である。
【図５】植生植栽用埋蔵蒲団体に植栽した事例を示す斜視図である。
【図６】コンクリート面を芝緑化した事例を示す斜視図である。
【図７】壁面緑化事例を示す斜視図である。
【図８】水辺緑化事例を示す斜視図である。
【符号の説明】
【００２５】
１    植生基盤体
２    格子状ネットシート
３    平織ネット状シート
４    吸水シート
５    不織布
６    植生基盤土
７    縫い糸
８    保護シート
９    植生植栽用埋蔵蒲団体
１０    固定ロープ
１１    固定ロープ付植生植栽用埋蔵蒲団体
１２    樹木固定具
１３    スライドアンカーピン
１３ａ  係止差込部
１３ｂ  支持部
１３ｃ  環状バンド係止部
１３    裸地法面
１４    環状バンド
１５    樹木
１６    宿根草
１７    セダム
１８    野芝
１９    コンクリート面
２０    防水シート
２１    植生盤
２２    植栽室
２３    セダム
２４    裸地法面
２５    アンカーピン
【図１】
2008125404.tif 000003
【図２】
2008125404.tif 000004
【図３】
2008125404.tif 000005
【図４】
2008125404.tif 000006
【図５】
2008125404.tif 000007
【図６】
2008125404.tif 000008
【図７】
2008125404.tif 000009
【図８】
2008125404.tif 000010